(57)【要約】【課題】動物の内蔵物又は魚類の皮あるいは魚類の内臓物を利用して、該内蔵物をシート状物に形成し、これに生分解性樹脂と組み合わせて複合部材を用いて得られた新規な容器の提供。【解決手段】本発明の容器は、少なくとも一部に動物又は魚類の内蔵物あるいは皮を圧延加工して得られたシート状物の片面に生分解性樹脂被膜を有する複合部材を用いて製造。前記シート状物の両面に生分解性樹脂を有する。前記生分解性樹脂がポリ乳酸、ポリグリコール又は乳酸−グリコール酸コポリマーである。容器の製造方法は、動物又は魚類の内蔵物あるいは皮を圧延加工した後、得られたシート状物の少なくとも片面に生分解性樹脂をコーティングし、得られた被覆部材を容器の少なくとも一部に用いることを特徴とする。  【選択図】    図１
2009107656.tif 000002
【特許請求の範囲】
【請求項１】
少なくとも一部に動物又は魚類の内蔵物あるいは魚類の皮を圧延加工して得られたシート状物の片面に生分解性樹脂被膜を有する複合部材を用いて得られたことを特徴とする容器。
【請求項２】
前記シート状物の両面に生分解性樹脂を有することを特徴とする請求項１に記載の容器。
【請求項３】
前記生分解性樹脂がポリ乳酸、ポリグリコール又は乳酸−グリコール酸コポリマーから選ばれた少なくとも１つであることを特徴とする請求項１又は請求項２に記載の容器。
【請求項４】
動物又は魚類の内蔵物あるいは魚類の皮を圧延加工した後、得られたシート状物の少なくとも片面に生分解性樹脂をコーティングし、得られた被覆部材を容器の少なくとも一部に用いることを特徴とする容器の製造方法。
【請求項５】
前記被覆部材がシート状物の両面に生分解性樹脂をコーティングして得られたラミネート部材であることを特徴とする請求項４に記載の容器の製造方法。
【発明の詳細な説明】
【技術分野】
【０００１】
本発明は、動物又は魚類の内蔵物又は魚類の皮を利用した新規な容器に関し、更に詳しくは動物又は魚類の内蔵物あるいは魚類の皮を特種加工した材料を使用して得られた新規な容器に関するものである。
【背景技術】
【０００２】
従来、ガラス、樹脂、瀬戸物、金属などで製作されている容器（容器の他ビン類を含む）が知られており、これらの容器は、ミネラルウォーター、牛乳、お茶、ジュース、乳酸菌飲料、ビールなどの酒類などに使用されている。ガラスや瀬戸物からなる容器は、一般に重く使用しずらく、また樹脂製容器では、小物では、使用後は廃棄処理する場合が多く、したがって、廃棄した後、時間が経過しても紙や木材などのように腐敗して土へ返ることがなく、いつまでも残存しており、環境破壊という点で問題となっている。
【０００３】
このような中で、動物又は魚類の内蔵物あるいは魚類の皮を容器の材質に用いるという考えはなく、新規の発明であり、本発明は、動物又は魚類の内蔵物あるいは魚類の皮を特種加工することにある。
【特許文献１】特になし
【発明の開示】
【発明が解決しようとする課題】
【０００４】
しかしながら、前述の如く動物又は魚類の内蔵物あるいは魚類の皮を利用して、該内蔵物をシート状物に形成し、これに生分解性樹脂と組み合わせて複合部材とすることにより新規な容器を製作することができることを見出し、ここに本発明を成すに至った。
【０００５】
したがって、本発明が解決しようとする課題は、動物又は魚類の内蔵物あるいは魚類の皮を利用して、該内蔵物をシート状物に形成し、これに生分解性樹脂と組み合わせて複合部材とし、これを用いて得られた、重量が軽く、破損することがなく、また直射日光を通さないので、内容物の酸化を防止することができる新規な容器を提供することである。
【課題を解決するための手段】
【０００６】
本発明の前記課題は、以下の各発明によって達成される。
（１）少なくとも一部に動物又は魚類の内蔵物あるいは魚類の皮を圧延加工して得られたシート状物の片面に生分解性樹脂被膜を有する複合部材を用いて得られたことを特徴とする容器。
（２）前記シート状物の両面に生分解性樹脂を有することを特徴とする前記第１項に記載の容器。
（３）前記生分解性樹脂がポリ乳酸、ポリグリコール又は乳酸−グリコール酸コポリマーから選ばれた少なくとも１つであることを特徴とする前記第１項又は第２項に記載の容器。
（４）動物又は魚類の内蔵物あるいは魚類の皮を圧延加工した後、得られたシート状物の少なくとも片面に生分解性樹脂をコーティングし、得られた被覆部材を容器の少なくとも一部に用いることを特徴とする容器の製造方法。
（５）前記被覆部材がシート状物の両面に生分解性樹脂をコーティングして得られたラミネート部材であることを特徴とする請求項４に記載の容器の製造方法。
【発明の効果】
【０００７】
前記（１）に記載の容器は、少なくとも一部に動物又は魚類の内蔵物あるいは魚類の皮
を圧延加工して得られたシート状物の片面に生分解性樹脂被膜を有する複合部材を用いて得られたことを特徴とするもので、これにより重量が軽く、破損することがなく、また直射日光を通さないので、各種の用途の容器に使用され、内容物の酸化を防止することができると共に廃棄しても時間が経つにつれ腐敗又は酵素などにより分解されるので、生態系に悪影響を及ぼすことがななく、環境上好ましいという優れた効果を奏するものである。
前記（２）に記載の容器は、前記第１項に記載の容器において、前記シート状物の両面に生分解性樹脂を有することにより、重量が軽く、強度も十分あり、破損することがなく、また直射日光を通さないので、内容物の酸化を防止することができると共に時間が経つにつれ腐敗分解されるので、生態系に悪影響を及ぼすことがなく、環境上好ましいという優れた効果を奏するものである。
前記（３）に記載の発明は、前記第１項又は第２項に記載の容器において、前記生分解性ポリマーがポリ乳酸、ポリグリコール又は乳酸−グリコール酸コポリマーから選ばれた少なくとも１つであることにより、使用後、廃物として処理しても、時間が経つにつれ腐敗又は酵素などにより分解されるので、生態系に悪影響を及ぼすことがななく、環境上好ましいという優れた効果を奏するものである。
前記（４）に記載の発明は、動物又は魚類の内蔵物あるいは魚類の皮を圧延加工した後、得られたシート状物の少なくとも片面に生分解性樹脂をコーティングし、得られた被覆部材を容器の少なくとも一部に用いることを特徴とするもので、これにより製作が容易で、重量が軽く、破損することがなく、また直射日光を通さないので、内容物の酸化を防止することができると共に廃棄しても時間が経つにつれ腐敗又は酵素などにより分解されるので、生態系に悪影響を及ぼすことがななく、環境上好ましいという優れた効果を奏するものである。
前記（５）に記載の発明は、前記第４項に記載の容器において、前記被覆部材がシート状物の両面に生分解性樹脂をコーティングして得られたラミネート部材であることにより、製作が容易で、強度に優れ、重量が軽く、破損することがなく、また直射日光を通さないので、内容物の酸化を防止することができると共に廃棄しても時間が経つにつれ腐敗又は酵素などにより分解されるので、生態系に悪影響を及ぼすことがないという優れた効果を奏するものである。
【発明を実施するための最良の形態】
【０００８】
以下に、本発明について、発明の実施の形態を図面で説明するが、本発明は、これに限定されるものではない。
図１は、本発明のビン型容器を示す側面図である。図２は、別の容器の一例を示す断面図である。図２のａは、キャップの上面図であり、図２のｂは、容器本体の断面図である。図３は、本発明に係る別の容器を示す側面図である。図４は、本発明に係る乳酸飲料用容器を示す側面図である。図５は、本発明に係る缶状容器を示す側面図であり、図５のａは、キャップの上面図であり、図５のｂは、缶本体を示す側面図である。
【０００９】
図１において、ビン型容器Ｉは、容器本体は、本体部１、肩部３、接続部４及び底部５からなり、蓋２を有する。本体部１は、特殊加工した材料からなり、またキャップ２、肩部３、接続部４及び底部５は、生分解性樹脂からできている。このような形状の容器Ｉは、お茶、ジュース等を入れるのが好ましい。ここで、本体部１は、具体的には、動物又は魚類の内蔵物あるいは魚類の皮を洗浄した後、殺菌し、半乾燥状態で圧延加工する。得られたシート状物の片面又は両面のいずれかに生分解性樹脂をコーティングして被膜を形成した複合部材（以下、特殊加工した材料ということもある。）からなることが好ましい。また動物としては、食用に供されるものであれば、特に限定されないが、牛、豚、羊などの家畜が好ましい。動物の内臓物には、胃、大腸、小腸などが好ましく、魚類では、その皮又は内蔵物、例えばたこ、いか等を用いることが好ましい。またシート状物には、フィルム、シート、シート状板（厚みの大きいシート）等を含む。本発明に用いられる生分解性樹脂は、特に限定されるものではないが、ポリ乳酸、ポリグリコール又は乳酸−グリコ
ール酸コポリマー等が挙げられる。これらの樹脂は、単独でも、２種以上混合してもよい。
【００１０】
シート状物には、その片面に生分解性樹脂を塗布することによって複合部材を形成する。またシート状物には、両面に生分解性樹脂が塗布されてシート状物を生分解性樹脂で挟んだ、いわゆるサンドイッチ状のラミネート複合部材とすることもできる。シート状物の形成方法の一例は、例えば、牛の胃を洗浄後、脱臭処理し、更に殺菌し、生乾燥した後、圧延加工して薄く伸ばしてシート状物を形成する。圧延方法は、圧延技術の分野において周知であるので、これを転用することができる。このようにシート状物を形成した後、このシート状物の表面に生分解性樹脂を塗布する。又は該シート状物の両面に生分解性樹脂をコーティングすることによって製造される。本発明では、このようにして得られた被覆部材、即ちシート状物に生分解性樹脂を被覆した複合部材又はラミネート複合部材を用いて各種の容器を製造するものである。容器の大きさとしては、内容量が３５０ｍｍｌ以下の容器を製造するのが好ましい。また容器としては、箱型、ビン型、筒型、缶型等である。しかしながら、特に形状には限定されない。またこれらの容器は、各種の用途用容器として使用され、例えば、ジュース、お茶、牛乳、乳酸菌飲料などの飲料用容器、佃煮、梅干、水煮などの食品用容器、香辛料用容器、薬剤用容器、化粧品用容器などが挙げられるが、これらは使用される用途の一例であって、これらに限定されるものではない。
【００１１】
図２において、容器ＩＩは、本体部２１にキャップ２２と底部２３が固定されており、本体部２１は、特殊加工した材料からなり、キャップ２２及び底部２３は、生分解性樹脂で形成されている。キャップ２２には、ストロー等で内容物を飲むための孔２４を有し、更にこの孔２４は封止ラベル２５で封止されている。ストローで封止ラベル２５を突き刺して差し込むことができる。牛乳などの容器とすることが好ましい。図３において、容器ＩＩＩは、本体部３１とキャップ３２からなり、該本体部３１は、特殊加工した材料からなり、キャップ３２は、生分解性樹脂で形成されている。図４において、容器ＩＶは、乳酸菌飲料用であり、本体部４１が特殊加工した材料からなっている。この容器の開口部はアルミ製箔４２で封止されている。図５において、容器Ｖは、本体部５１は、蓋、即ちキャップ５２と底部５３を有しており、本体部５１は、特殊加工した材料からなり、キャップ５２及び底部５３は、生分解性樹脂で形成されている。この容器Ｖは、ジュース、牛乳などの
容器として用いることが好ましい。
【産業上の利用可能性】
【００１２】
本発明の新規な容器は、動物の内蔵物を圧延加工して得られたシート状物の片面又は両面に生分解性樹脂被膜を有する複合部材を用いて新規な容器を得ることができたものであり、軽量、強度に優れており、かつ環境上極めて好ましいので、容器の技術分野において、飲料用容器、食品用容器、香辛料用容器、薬剤用容器、化粧品用容器として産業上の利用可能性は極めて大きい。
【図面の簡単な説明】
【００１３】
【図１】本発明のビン型容器を示す側面図である。
【図２】本発明の別の容器の一例を示す断面図である。図２のａは、キャップの上面図であり、図２のｂは、容器本体の断面図である。
【図３】本発明の更に別の容器を示す側面図である。
【図４】本発明に係る乳酸飲料用容器を示す側面図である。
【図５】本発明に係る缶状容器を示す側面図であり、図５のａは、キャップの上面図であり、図５のｂは、缶本体を示す側面図である。
【符号の説明】
【００１４】
１、２１、３１、４１、５１  本体部
２、２２、３２、５２  キャップ
３  肩部
４  接続部
５、２３、５３  底部
２４、５５  孔
２５、５６  封止ラベル
４２  封止部
５４  ストロー
【図１】
2009107656.tif 000003
【図２】
2009107656.tif 000004
【図３】
2009107656.tif 000005
【図４】
2009107656.tif 000006
【図５】
2009107656.tif 000007